(57)【特許請求の範囲】
【請求項１】
浴槽の浴水を吸水ホースの先端部に設けた吸水口から吸い込んで浄化すると共に加熱して吐水ホースの先端部に設けた吐水口から浴槽内に返送する浴水浄化装置であって、浴水を浄化する浄化手段や浴水を加熱するヒータを内装した浴水浄化装置本体から上記吸水ホースと吐水ホースを垂設し、吐水ホースの、浴槽の水面と浴水浄化装置本体の上開口に着脱自在に載置される浴槽蓋との間に位置する部分に消臭剤を取付けて成ることを特徴とする浴水浄化装置。
【請求項２】
吐水ホースに上下移動自在に消臭材を取付け、この消臭剤を浴槽の水面上に浮遊させて、浴水の水位と共に可動自在として成ることを特徴とする請求項１記載の浴水浄化装置。
【発明の詳細な説明】
【０００１】
【発明の属する技術分野】
本発明は、家庭用浴槽、あるいは公共用浴槽内の浴水中の汚濁物質を各種浄化手段により分解・除去する循環式の浴水浄化装置に関するものである。
【０００２】
【従来の技術】
浴水浄化装置は生物浄化や物理浄化あるいは生物浄化と物理浄化の併用により浴水を浄化して清澄な水質を維持している。生物浄化においては浴水の循環経路中に活性炭や多孔性セラミックス、繊維ろ材といったような微生物固定槽を配置し、これによって人の入浴によって浴水中に混入する汗や垢等の負荷を生分解して炭酸ガスと水とアンモニア等に分解している。一方、物理的浄化においては浴水の循環経路中に中空糸膜のような膜を配置し、これによって入浴によって混入する懸濁物や、汗や垢などの有機物を資化して増殖する微生物をろ過するとともに、ろ過によって閉塞した膜を塩素等によって酸化分解することにより洗浄・再生を行っている。また、生物浄化と物理浄化の併用においては微生物固定槽と膜をそれぞれ配置している。
【０００３】
上記のような浴水浄化システムでは浴水を衛生的に保つために浴水を定期的に塩素やオゾン等により、また、紫外線によって常時殺菌している。
【０００４】
しかしながら、生物浄化においては汗や垢等の生分解時に発生するアンモニア等からなる生物臭、また、物理浄化や生物浄化、物理浄化と生物浄化との併用のいずれにおいても浴水を定期的に洗浄する場合において発生する塩素や、アンモニアと塩素の結合物であるクロラミンは入浴時における不快臭であり、浴槽蓋を閉めている場合においては浴槽蓋と浴水との間の気層中に充満するため、入浴時における不快感が大きい。
【０００５】
そこで、ヒータや浄化手段やポンプを内装した浴水浄化装置本体内において循環経路のポンプよりも上流側において脱臭装置を備えた吸気管を分岐し、浴槽蓋と浴水との間の気層中の臭気を脱臭装置で脱臭してポンプにより循環する浴水中に吸い込むようにしたものが特開平８−２９９２０８号公報により知られている。しかしながら、この従来例にあっては、ポンプの上流側で空気を吸い込むため、ポンプにエアかみ現象が生じ、また、浄化手段内においてもエア溜まりが生じて浄化能力が低下するという問題がある。
【０００６】
【発明が解決しようとする課題】
本発明は上記の問題点に鑑みて発明したものであり、浴水と浴槽蓋との間に充満した臭気成分を効果的に除去するとともに、塩素による殺菌においては浴水の殺菌効果を低減させず臭気物質のみを除去することができ、また、ポンプにエアかみ現象が生じたり、あるい浄化手段による浄化能力の低下が生じない浴水浄化装置を提供することを課題とするものである。
【０００７】
【課題を解決するための手段】
上記課題を解決するために本発明の浴水浄化装置は、浴槽１の浴水を吸水ホース３０の先端部に設けた吸水口１５ａから吸い込んで浄化すると共に加熱して吐水ホース３１の先端部に設けた吐水口１５ｂから浴槽１内に返送する浴水浄化装置であって、浴水を浄化する浄化手段や浴水を加熱するヒータ８を内装した浴水浄化装置本体３２から上記吸水ホース３０と吐水ホース３１を垂設し、吐水ホース３１の、浴槽１の水面と浴水浄化装置本体３２の上開口に着脱自在に載置される浴槽蓋３６との間に位置する部分に消臭剤３３を取付けて成ることを特徴とするものである。このような構成とすることで、吐水口１５ｂから浴水を吐水する際に浴槽１内の浴水に速い水流が生じ、この浴水の流れに追従して浴水と浴槽蓋３６との間の気層に空気流れが生じて吐水ホース３１に設けた消臭剤３３により効果的に消臭できるものである。
【０００８】
また、吐水ホース３１に上下移動自在に消臭材３３を取付け、この消臭剤３３を浴槽の水面上に浮遊させて、浴水の水位と共に可動自在とすることが好ましい。このような構成とすることで、給湯や入浴により浴槽１内の水位が変動しても消臭剤３３が水位と共に上下移動して、消臭剤３３が水没することがなく、含水による消臭剤３３の表面積低下を抑えることができるものである。
【０００９】
【発明の実施の形態】
以下、本発明の実施の形態を説明する。
【００１０】
図１に、本発明の浴水浄化装置の配管構成を示す。循環流路２の一端部が吸水口１５ａ、他端部が吐出口１５ｂとなり、この吸水口１５ａ、吐出口１５ｂはともに吸・吐水ユニット１５に設けてあり、吸・吐水ユニット１５は浴槽１内の浴水内に浸けてある。循環流路２には、上流側から下流側にかけて、順に、吸水口１５ａ、ポンプ３、第二開閉弁１７、第三開閉弁１８、ヒータ８、吐出口１５ｂを設けている。
【００１１】
循環流路２のポンプ３と第二開閉弁１７との間から副流路１１が分岐してあり、副流路１１には上流側から下流側にかけて、順に、ろ過槽２４、第一開閉弁１６を設けている。
【００１２】
ろ過槽２４は、循環流路２から分岐した副流路１１を流通する浴水のろ過を行うための、中空糸膜からなる精密ろ過フィルタ４が内装されている。この精密ろ過フィルタ４は、ろ過槽２４内を副流路１１の上流側と下流側に仕切るように配設するものである。またろ過槽２４には、精密ろ過フィルタ４の上流側に、流水吐水口を有する回転自在な洗浄用ノズル５を設けている。この洗浄用ノズル５は、モータの働きにより精密ろ過フィルタ４の上流側の外周を回転するように構成するものであり、また回転と同時に流水吐出口１０から浴水を精密ろ過フィルタ４の上流側の表面に吐出して精密ろ過フィルタ４を上流側において洗浄するようになっている。副流路１１の下流側の端部は吐出口１５ｂの上流側において循環流路２に連通接続してある。
【００１３】
また循環流路２の第二開閉弁１７と第三開閉弁１８との間からは、第一補助流路１２を分岐して設けている。この第一補助流路１２には、上流側から下流側にかけて、順に第一切替弁２０、電解電極槽６、第四開閉弁１９を設けている。また第一切替弁２０と電解電極槽６とを、別の分岐流路１３にて接続し、この分岐流路１３に塩溶解槽７を設けている。ここで塩溶解槽７は、内部に塩化ナトリウムが収容されるものである。また第一補助流路１２の下流側の他端は副流路１１のろ過槽２４よりも上流側に連通接続している。ここで第一切替弁２０は、第一補助流路１２と分岐流路１３との分岐点において、第一補助流路１２の上流側、第一補助流路１２の下流側、分岐流路１３の下流側のそれぞれへの流通を開閉するものである。
【００１４】
上記の電解電極槽６は、容器内に一対の不溶性電極板からなる電極を、隔膜を介することなく対向配置した無隔膜タイプのものとして形成している。この容器内の水に、塩溶解槽７から供給された塩化ナトリウムが溶解している場合、一対の電極間に電圧を印加すると、塩化ナトリウムの電気分解により塩素（Ｃｌ２）や次亜塩素酸イオン（ＣｌＯ−）が発生し、洗浄殺菌水を生成することができるものである。
【００１５】
また上記のろ過槽２４には、精密ろ過フィルタ４の上流側において、第二補助流路２３の一端部を連通接続しており、この第二補助流路２３の他端部は、循環流路２の、ポンプ３よりも上流側に連通接続している。この第二補助流路２３からは排水流路１４を分岐して設けており、この第二補助流路２３と排水流路１４との分岐点には、第二切替弁２１を設けている。ここで第二切替弁２１は、第二補助流路２３と排水流路１４との分岐点において、第二補助流路２３のポンプ３側、第二補助流路２３のろ過槽２４側、排水流路１４の排水側のそれぞれへの流通を開閉するものである。
【００１６】
ここで、第一開閉弁１６、第二開閉弁１７、第三開閉弁１８、第四開閉弁１９、第一切替弁２０、第二切替弁２１のそれぞれのものは、電磁弁、電動弁等にて形成することができる。
【００１７】
また上記のろ過槽２４は、外部から分離膜の上流側に酸及び酸素系洗浄剤を投入できるように形成するものであり、例えば、分離膜の下流側を開口すると共に、この開口を閉ざす蓋体２５を着脱自在に設け、更に分離膜をこの開口からろ過槽２４外へ脱離可能に設け、蓋体２５を脱離させた後分離膜を脱離し、この開口から上記酸及び酸素系洗浄剤を投入した後、分離膜及び蓋体２５を再び装着できるようにするものである。
【００１８】
また図６に示すように、この浴水浄化装置には入力操作部５０と制御回路５１からなる制御部の制御回路５１を、配管上のポンプ３、電解電極槽６、ヒータ８、各開閉弁１６、１７、１８、１９、各切替弁２０、２１、並びにろ過槽２４のモータ９に接続して、使用者が入力操作部に入力する指示内容に従って、制御回路が配管上のポンプ３、電解電極槽６、ヒータ８、各開閉弁１６、１７、１８、１９、各切替弁２０、２１、並びにろ過槽２４のモータ９の動作を制御するようにしたものである。
【００１９】
図２は上記の構成の本発明の浴水浄化装置において、浴水の浄化時における装置内の浴水の流れを矢印で示すと共に、第一開閉弁１６、第二開閉弁１７、第三開閉弁１８、第四開閉弁１９、第一切替弁２０、第二切替弁２１の各弁のうち、閉状態となっている箇所を黒く塗りつぶすことで明示したものである。図２に示すように、浴水の洗浄時においては、第一開閉弁１６を開状態、第二開閉弁１７を開状態、第三開閉弁１８を開状態、第四開閉弁１９を閉状態とするものであり、また第一切替弁２０においては第一補助流路１２の上流側を閉状態、第一補助流路１２の下流側を開状態、分岐流路１３の下流側を開状態とし、第二切替弁２１においては、第二補助流路２３のポンプ３側を開状態、第二補助流路２３のろ過槽２４側を閉状態、排水流路１４の排水側を閉状態とするものである。このときポンプ３を作動させると、吸・吐水口１５からポンプ３にて吸引された浴水は循環流路２を流れ、ヒータ８を通って加温されて、吐出口１５ｂ部分に流れ絞り部１５ｃで絞られて、流速を増大されてノズル部１５ｄから浴槽１内に噴出して返送されるのであるが、この場合、循環流路２を流れる浴水の一部が副流路１１を流れ、ろ過槽２４内に設けられた中空糸膜からなる精密ろ過フィルタ４を通過する際に、浴水中の垢、微生物、微生物の代謝生産物等の懸濁物質や汚濁物質が除去された後、循環流路２を流れるヒータ８により加温された浴水と合流して吐出口１５ｂから浴槽１内に吐出される。
【００２０】
また上記のように浴水の浄化を行いながら、電解電極槽６の一対の電極間に電圧を印加することにより、電解電極槽６内において塩素（Ｃｌ２）や次亜塩素酸イオン（ＣｌＯ−）が発生し、洗浄殺菌水を生成することができるものである。このときは、あらかじめ電解電極槽６中に塩化ナトリウムが供給されている状態で、一定時間一定電圧を印加することにより、無隔膜電化槽中に洗浄殺菌水を生成させるものである。
【００２１】
図３は、ろ過槽２４の精密ろ過フィルタ４の物理的洗浄時における装置内の浴水の流れを矢印で示したものである。図３に示すように、精密ろ過フィルタ４の物理的洗浄時においては、第一開閉弁１６を閉状態、第二開閉弁１７を閉状態、第三開閉弁１８を閉状態、第四開閉弁１９を閉状態とするものであり、また第一切替弁２０においては第一補助流路１２の上流側を閉状態、第一補助流路１２の下流側を開状態、分岐流路１３の下流側を開状態とし、第二切替弁２１においては、第二補助流路２３のポンプ３側を開状態、第二補助流路２３のろ過槽２４側を開状態、排水流路１４の排水側を閉状態とするものである。またこのときろ過槽２４に設けられた洗浄用ノズル５をモータにて回転させるものである。このときポンプ３、精密ろ過フィルタ４、及びろ過槽２４に備えられたノズル５を含む閉流路が形成され、浴水がこの閉流路を循環するものである。すなわち副流路１１を通ってろ過槽２４へ達した浴水は、回転する洗浄用ノズル５の流水吐出口１０から精密ろ過フィルタ４の表面に向けてまんべんなく吹きつけられ、水流の勢いにより精密ろ過フィルタ４表面の付着物を除去し、更に第二補助流路２３を通じて循環流路２のポンプ３よりも上流側に送られて、再びろ過槽２４へと送られる。このようにして一定時間精密ろ過フィルタ４の物理洗浄を行った後、図４に示すように、第二切替弁２１を、第二補助流路２３のポンプ３側を閉状態、第二補助流路２３のろ過槽２４側を開状態、排水流路１４の排水側を開状態とする。このようにすると、分離膜の物理洗浄に用いられ、懸濁物質や汚濁物質が混入した閉流路内の浴水が、排水流路１４を通じて装置外部へ排出されるものである。そしてこのようにして一定時間排水を行った後、各開閉弁１６、１７、１８、１９及び切替弁を図２に示すよう状態へ復帰させて、再び浴水の浄化を行うものである。
【００２２】
図５は、分離膜の殺菌洗浄時における装置内の浴水の流れを矢印で示したものである。精密ろ過フィルタ４の殺菌洗浄時においては、図２に示す状態で電解電極槽６にて殺菌洗浄水を生成した後、図５に示すように、第一開閉弁１６を開状態、第二開閉弁１７を開状態、第三開閉弁１８を開状態、第四開閉弁１９を開状態とするものであり、また第一切替弁２０においては第一補助流路１２の上流側を開状態、第一補助流路１２の下流側を閉状態、分岐流路１３の下流側を開状態とし、第二切替弁２１においては、第二補助流路２３のポンプ３側を開状態、第二補助流路２３のろ過槽２４側を閉状態、排水流路１４の排水側を開状態とするものである。このようにすると、図２に示す浴水の浄化時の流路に加えて、副流路１１から分岐して塩溶解槽７、電解電極槽６を順に通り、再び副流路１１の、ろ過槽２４よりも下流側に接続される流路が形成され、電解電極槽６にて生成された殺菌洗浄水が、分離膜を通過するようにするものであり、この殺菌洗浄水中の塩素（Ｃｌ２）、次亜塩素酸イオン（ＣｌＯ−）により、分離膜の付着物を分解すると共に、殺菌を行うものである。またこのとき同時に塩溶解槽７を通過して塩溶解槽７中の塩化ナトリウムが溶解した浴水が電解電極槽６に供給され、次回の分離膜の殺菌洗浄に用いるための殺菌洗浄水の生成に利用されるものである。そして続いて各開閉弁１６、１７、１８、１９及び各切替弁２０、２１を制御して図２に示す状態とし、再び浴水の浄化を行うものである。
【００２３】
上記のようにして浴水を浄化し、また、定期的に精密ろ過フィルタ４の物理的洗浄及び殺菌洗浄を行う浴水浄化装置を設置した浴槽１において、電気分解によって生成される塩素（Ｃｌ２）や汗や垢の分解物であるアンモニア（ＮＨ４）、またはこれらの結合物であるクロラミン（ＮＨ２Ｃｌ等）が浴槽水中で生成されて、これらの臭気物質が浴槽水と浴槽蓋３６との間の気層中に以降して充満することになり、入浴時に浴槽蓋３６を開けることで臭気物質が充満した空気を吸い込み不快感を抱くことになる。そこで、本発明にあっては、塩素やアンモニア等の不快臭を消臭剤３３により脱臭するようにするのである。
【００２４】
すなわち、上記の構成の浴水浄化装置はポンプ３、精密ろ過フィルタ４、電解電極槽６、塩溶解槽７、ヒータ８を内装した浴水浄化装置本体３２と、吸水口１５ａ、吐出口１５ｂを備えた吸・吐水ユニット１５と、浴水浄化装置本体３２から垂設されて吸水口１５ａ、吐出口１５ｂを備えた吸・吐水ユニット１５に接続された吸水ホース３０と吐水ホース３１とで構成してある。ここで、吸水ホース３０は循環流路２の上流側の部分で浴水浄化装置本体３２から下方に垂設した部分を構成する部材であり、吸水口１５ａとポンプ３との間を接続している。また、吐水ホース３１は、循環流路２の下流側の部分で浴水浄化装置本体３２から下方に垂設した部分を構成する部材である主吐水ホース３１ａと、副流路１１の下流側の部分で浴水浄化装置本体３２から下方に垂設した部分を構成する部材である副吐水ホース３１ｂとで構成してある。主吐水ホース３１ａの下流側の端部は吐水口１５ｂに連通接続してあり、副吐水ホース３１ａも吐水口１５ｂに連通接続してある。
【００２５】
浴水浄化装置本体３２は図７に示すように浴槽１の上部に配設され、また、吸水口１５ａ、吐出口１５ｂを備えた吸・吐水ユニット１５は浴槽１内の浴水内に水没させてある。浴槽１の上開口には着脱自在に浴槽蓋３６が載置される。したがって、吸水ホース３０と吐水ホース３１の大部分は浴槽１の水面と浴槽蓋３６との間に位置することになる。
【００２６】
本発明においては上記浴槽１の水面と浴槽蓋３６との間に配置される吐水ホース３１に消臭剤３３を面状ファスナー３８などの取付け手段により図８に示すように取付けるものである。脱臭剤３３の取付け位置は浴槽１内で且つ水面よりも上である。ここで、添付図面に示す実施形態においては吸水ホース３０と吐水ホース３１とを束としてあるので、消臭剤３３を吐水ホース３０に取付けるに当たって、束となっている吸水ホース３０と吐水ホース３１とに面状ファスナー３８などの取付け手段により取付けた例が示してあり、このように、束となっている吸水ホース３０と吐水ホース３１とに取付けることで、より安定して取付けることができる。消臭剤３３としては例えば銀イオンを担持させた繊維状活性炭（例えば、１２０ｍｍ×８０ｍｍ、厚さ５ｍｍを２枚重ねたもの）により構成したものを用いる。
【００２７】
ここで、浴水浄化装置を運転して浴水を浄化している時の浴槽１内における気流（つまり浴槽１の水面と浴槽蓋３６との間の気層の気流）の流れについて図９に基づいて説明する。浴水浄化装置本体３２により浄化・加温された浴水は吐水ホース３１を経て吸・吐水ユニット１５に設けた吐出口１５ｂから浴槽１内の浴水中に吐出される。吐出された浴水は図９の矢印イのように吸・吐水ユニット１５の対面の浴槽壁へと流れるに従い、流速が低下して浴槽壁近傍にて流れ方向が逆転し、再び吸・吐水ユニット１５の吸水口１５ａ方向へと流れ、吸水口１５ａ、吸水ホース３０を経由して浴水浄化装置本体３２内に導入される。この時、浴槽１内の気層（浴槽１の水面と浴槽蓋３６との間の気層）では上記矢印イで示される水流によって図９の矢印ロで示すように吸・吐水ユニット１５の上方から対面の浴槽壁へと流れる気流が形成され、この気流により吐水ホース３１に取付けた消臭剤３３を臭気物質を含んだ空気が効果的に透過することになり、浴槽１の水面と浴槽蓋３６との間の気層に充満している臭気を脱臭することができるものである。ところで、実施形態のように吸水口１５ａと吐水口１５ｂとを一つの吸・吐水ユニット１５に備え、吸・吐水ユニット１５に接続する吸水ホース３０と吐水ホース３１をまとめて配置すると、吸・吐水ユニット１５から吐水しかつ吸水するので図９の矢印イで示す水流において吸・吐水ユニット１５付近の水流をよりいっそう速くでき、これにより図９の矢印ロで示す気流の流れも吸水ホース３０と吐水ホース３１をまとめた部分においてよりいっそう速くでき、このように、水流の最も大きい吸・吐水ユニット１５によって気流も最も大きくできるため、吸水ホース３０と吐水ホース３１をまとめた部分に消臭剤３３を取付けることで、最も効果的に消臭することができるものである。
【００２８】
次に、本発明の参考例を図１０、図１１に基づいて説明する。本参考例においては、吐水口１５ｂから浄化した浴水を浴槽１内に吹き出す際に空気を混合して吹き出すようにしたものであり、このため、吸・吐水ユニット１５に吸気ホース３９を接続し、この吸気ホース３９を吸水ホース３０や吐水ホース３１と平行に束ねてあり、この束ねた吐水ホース３１、吸水ホース３０、吸気ホース３９に面状ファスナー３８などの取付け手段により消臭剤３３を取付けてある。吸気ホース３９は上端の空気吸い込み口３７が浴槽１内において浴槽１の水面よりも上方に位置し、下端が吐水口１５ｂに設けた絞り部に連通接続してあり、浴水が吐水口１５ｂの絞り部を流れる際に、エゼクター効果により浴槽１と浴槽蓋３６との間の気層の空気を空気吸い込み口３７から強制的に吸い込んで浴水と混合して吐水口１５ｂから浴槽１内に吐出される。このように、空気吸い込み口３７から強制的に浴槽１と浴槽蓋３６との間の気層の空気が吸い込まれるので、浴槽１と浴槽蓋３６との間の気層に空気吸い込み口３側に向けて流れる空気流れが生じることになる。このようにして空気の流れを生じさせることで、水面の上方において吐水ホース３１、吸水ホース３０、吸気ホース３９に面状ファスナー３８などの取付け手段により取付けた消臭剤３３で臭気を効果的に消臭することができるものである。図１１は吐水ホース３１、吸水ホース３０、吸気ホース３９の下端部を吸・吐水ユニット１５の外面部に直接露出して取付けた例を示している。
【００２９】
次に、図１２に基づいて本発明の更に他の参考例につき説明する。本参考例においては、前述の参考例と同様に吐水口１５ｂから浄化した浴水を浴槽１内に吹き出す際に空気を混合して吹き出すようにしたものであり、このため、吸・吐水ユニット１５に吸気ホース３９を接続し、この吸気ホース３９を吸水ホース３０や吐水ホース３１と平行に束ねてあり、この束ねた吐水ホース３１、吸水ホース３０、吸気ホース３９に面状ファスナー３８などの取付け手段により消臭剤３３を取付けてある。吸気ホース３９は上端の空気吸い込み口３７が浴槽１内において浴槽１の水面よりも上方に位置し、下端が吐水口１５ｂに設けた絞り部に連通接続してあり、浴水が吐水口１５ｂの絞り部を流れる際に、エゼクター効果により浴槽１と浴槽蓋３６との間の気層の空気を空気吸い込み口３７から強制的に吸い込んで浴水と混合して吐水口１５ｂから浴槽１内に吐出されるようになっている。そして、本参考例においては上記空気吸い込み経路を構成する吸気ホース３９の途中に消臭剤３３を配設した点に特徴がある。すなわち、浴水が吐水口１５ｂの絞り部を流れる際に生じるエゼクター効果により浴槽１と浴槽蓋３６との間の気層の空気が空気吸い込み口３７から吸い込まれた臭気を含んだ気体が、吸気ホース３９の途中に配設した消臭剤３３で吸着除去されることで消臭され、浄化・加温された浴水と共に空気が浴槽１内の浴水中に吐出されるものである。この場合、浴水が吐水口１５ｂ部分の絞り部を流れる際に生じるエゼクター効果により空気を吸い込むので、空気を吸い込むものであるにもかかわらず、ポンプ３にエアかみが生じたり、ろ過槽２４内にエア溜まりが生じたりすることなく、運転がスムーズに行えると共に浄化効率を低下しないようにできるものである。また、別途空気を吸い込むためのファンも必要ないものである。
【００３０】
次に、図１３、図１４に基づいて脱臭装置４０の参考例を示す。本脱臭装置４０はシロッコファンのようなファン３４と活性炭ハニカムのような消臭剤３３を内装したハウジング４１と、電源コード４２とで構成してあり、浴水浄化装置本体３２より脱臭装置４０へ電流を供給してモータを回転してファン３４を構成するシロッコファンを回転させ、ファン３４を構成するシロッコファンの底部より臭気物質を含んだ空気を吸気して活性炭ハニカムのような消臭剤３３を経由することで消臭を行い、ハウジング４１に設けた吹き出し口３５から排気するものである。
【００３１】
上記、脱臭装置４０は吐水ホース３１乃至吸水ホース３０の一方又は両方に取付け手段により取付けたり、あるは浴水浄化装置本体３２の下部（好ましくは下面部）に取付けるものである。
【００３２】
図１５には脱臭装置４０を吐水ホース３１の上部乃至吸水ホース３０の上部の一方又は両方に取付けたり、あるは浴水浄化装置本体３２の下部（好ましくは下面部）に取付けることで、ファン３４の吐き出し口３５（ハウジング４１に設けてある）を浴槽蓋３６よりも外側（例えば上又は外側方）に設けた参考例が示してある。この参考例においては、ファン３４を運転すると、浴槽１と浴槽蓋３６との間の隙間から浴室内の空気が浴槽１の気層に供給され、浴槽１の水面と浴槽蓋３６との間の気層中を流れて、該気層の臭気物質と共に脱臭装置４０へ供給され、脱臭装置４０で消臭剤３３により吸着除去されて消臭され、吐き出し口３５から矢印のように浴槽１外に排気されるものである。
【００３３】
次に、図１６に基づいて本発明の他の実施形態を説明する。本実施形態においては繊維状活性炭（例えば１２０ｍｍ×８０ｍｍ、厚さ５ｍｍのものを５枚重ねたもの）のような消臭剤３３の下部に発泡スチロールのような浮体４３を積層して浮遊消臭部４４を構成し、この浮遊消臭部４４をひも４５により吐水ホース３１又は吐水ホース３１と吸水ホース３０の両方と固定せずに浮遊消臭部４４が上下移動自在となるように結びつけて吐水ホース３１又は吐水ホース３１と吸水ホース３０の両方に設置してある。ひも４５の代わりに輪体により吐水ホース３１又は吐水ホース３１と吸水ホース３０の両方と固定せずに浮遊消臭部４４が上下移動自在となるよう吐水ホース３１又は吐水ホース３１と吸水ホース３０の両方に取付けてもよい。このように構成することで、浴水の水位が給湯や入浴により上昇しても、水位と共に浮遊消臭部４４が上下移動し、消臭剤３３が水没することがなく、含水による消臭剤３３の表面積低下を抑えることができるようになっている。
【００３４】
【発明の効果】
上記のように本発明にあっては、浴槽の浴水を吸水ホースの先端部に設けた吸水口から吸い込んで浄化すると共に加熱して吐水ホースの先端部に設けた吐水口から浴槽内に返送する浴水浄化装置であって、浴水を浄化する浄化手段や浴水を加熱するヒータを内装した浴水浄化装置本体から上記吸水ホースと吐水ホースを垂設し、吐水ホースの、浴槽の水面と浴水浄化装置本体の上開口に着脱自在に載置される浴槽蓋との間に位置する部分に消臭剤を取付けてあるので、吐水口から浴水を吐水する際に浴槽内の浴水に速い水流が生じ、この浴水の流れに追従して浴水と浴槽蓋との間の気層に空気流れが生じて吐水ホースに設けた消臭剤により効果的に消臭できるものであり、更に、塩素による殺菌においては浴水の殺菌効果を低減させず臭気物質のみを除去することができるものである。また、従来のように浴水を循環浄化するための循環路のポンプの上流側において臭気を吸い込むもののように、ポンプのエアかみを防止すると共に浄化手段部分にエア溜まりが生じないものであって、浄化効率を低下させないものである。また、吸気のためのファンを設けることなく臭気の脱臭が図れるものである。
【００３５】
また、請求項２記載の発明にあっては、吐水ホースに上下移動自在に消臭材を取付け、この消臭剤を浴槽の水面上に浮遊させて、浴水の水位と共に可動自在としてあるので、給湯や入浴により浴槽内の水位が変動しても消臭剤が水位と共に上下移動して、消臭剤が水没することがなく、含水による消臭剤の表面積低下を抑えることができ、常に浴槽内の気層中の不快臭を効果的に除去することができるものである。
【図面の簡単な説明】
【図１】  本発明の実施の形態の一例を示す概略図である。
【図２】  同上の動作を示す概略図である
【図３】  同上の他の動作を示す概略図である。
【図４】  同上の更に他の動作を示す概略図である。
【図５】  同上の更に他の動作を示す概略図である。
【図６】  同上の制御ブロック図である。
【図７】  同上の浴水浄化装置本体の浴槽上への設置状態を示す斜視図である。
【図８】  同上の消臭剤の取付けの一実施形態を示す説明図である。
【図９】  同上の浴水の流れ及び気流を示す説明図である。
【図１０】  参考例における消臭剤の取付けを示す説明図である。
【図１１】  他の参考例における消臭剤の取付けを示す説明図である。
【図１２】  更に他の参考例における消臭剤の取付けを示す説明図である。
【図１３】  参考例における消臭装置を示す斜視図である。
【図１４】  参考例における消臭装置を示す平面断面図である。
【図１５】  参考例における浴水の流れ及び気流を示す説明図である。
【図１６】  本発明の浮遊消臭部を示す斜視図である。
【符号の説明】
１  浴槽
２  循環流路
３  ポンプ
１５ａ  吸水口
１５ｂ  吐出口
３０  吸水ホース
３１  吐水ホース
３２  浴水浄化装置本体
３３  消臭剤
３４  ファン
３５  吐き出し口
３６  浴槽蓋
３７  空気吸い込み口
【図１】
0003783438.tif 000002
【図２】
0003783438.tif 000003
【図３】
0003783438.tif 000004
【図４】
0003783438.tif 000005
【図５】
0003783438.tif 000006
【図６】
0003783438.tif 000007
【図７】
0003783438.tif 000008
【図８】
0003783438.tif 000009
【図９】
0003783438.tif 000010
【図１０】
0003783438.tif 000011
【図１１】
0003783438.tif 000012
【図１２】
0003783438.tif 000013
【図１３】
0003783438.tif 000014
【図１４】
0003783438.tif 000015
【図１５】
0003783438.tif 000016
【図１６】
0003783438.tif 000017